(57)【要約】【課題】  複数の白色ＬＥＤで構成した線光源を用い、原稿サイズ検出結果に応じた原稿領域のみを選択的に照明する画像読み取り装置に於いて、検出された原稿サイズに応じた領域のみを照明制御する際の端部光量を補正する補助手段を用い、配光の端部落ちを改善し、用紙サイズ毎に最適なシェーディング補正を行う。【解決手段】  原稿サイズ検出手段、白色ＬＥＤアレイ光源、白色ＬＥＤアレイ部分点灯制御手段、原稿端部光量補助手段、原稿サイズ毎にシェーディング補正を行う手段、及び記憶手段によって構成される画像読取装置。【選択図】  図１
2006115288.tif 000002
【特許請求の範囲】
【請求項１】
複数の発光素子で構成された原稿照明手段（線光源）と、原稿反射光を読み取る光電変換手段と、原稿サイズ検出手段と、検出原稿サイズの主走査領域に応じた原稿領域点灯制御手段と、シェーディング補正手段と、操作手段を持って構成された画像読取装置に於いて、セット原稿の端部（エッジ）に対して、原稿サイズ毎に光量を補うための補助照明手段を持たせたことと、該原稿照明手段を用い、原稿領域のみの点灯制御状態でのシェーディング補正、及び、原稿走査を行うことを特徴とした画像読取装置。
【請求項２】
上記請求項１記載の画像読取装置に於いて、該原稿サイズ検出手段によって検出された原稿サイズ毎に、原稿端部（エッジ）に対して発光素子照射スポットの中央近傍（照射光量の大きな部分）が掛かるように発光素子を配置した原稿照明手段を用いたことを特徴とした画像読取装置。
【請求項３】
上記請求項１記載の画像読取装置に於いて、該操作手段によって設定した原稿サイズに応じた領域を点灯制御し、原稿サイズ毎に、原稿端部（エッジ）に対して発光素子照射スポットの中央近傍（照射光量の大きな部分）が掛かるように発光素子を配置した原稿照明手段を用いたことを特徴とした画像読取装置。
【請求項４】
上記請求項１記載の画像読取装置に於いて、シェーディング補正手段は主走査１ライン分、若しくは、定型原稿種類分のラインメモリ手段を持ったことを特徴とした画像形成装置。
【請求項５】
上記請求項１記載の画像読取装置に於いて、該原稿照明手段を構成する発光素子が白色ＬＥＤであることを特徴とした画像読取装置。
【請求項６】
上記請求項１記載の画像読取装置に於いて、原稿の主走査幅に対して、該原稿照明手段の突き当て基準位置から原稿端部までの領域と該当する原稿端部補助照明手段の点灯制御を行い、原稿領域におけるシェーディング補正と原稿走査を行うことを特徴とした画像形成装置。
【請求項７】
上記請求項１記載の画像読取装置に於いて、原稿サイズ検出後の原稿照明手段の点灯領域として、原稿突き当て基準側は原稿領域よりも十分外側を照明し、原稿端部までの領域と該当する原稿端部補助照明手段の点灯制御を行い、原稿領域におけるシェーディング補正と原稿走査を行うことを特徴とした画像形成装置。
【請求項８】
上記請求項１記載の画像読取装置に於いて、原稿照明手段は主走査方向に平行な複数列に構成された発光素子アレイとして構成され、かつ原稿走査線上に対して該原稿照明手段を構成する各々の隣接発光素子の照射スポットが互いに重なり合うように配置されると共に、各々の原稿サイズの端部に配置された補助照明手段が原稿端部に位置する発光素子の照射スポットと重なり合うように配置されたことを特徴とした画像読取装置。
【請求項９】
上記請求項８記載の画像読取装置に於いて、該原稿照明手段を構成する原稿照明光源手段と該補助照明手段の点灯制御信号を電送する転送レジスタがシリアル接続されていることを特徴とした画像読取装置。
【請求項１０】
上記請求項９記載の画像読取装置に於いて、原稿照明手段と補助光源手段の転送レジスタの転送順は、原稿照明手段の方が補助光源手段よりも先に転送されることを特徴とした画像読取装置。
【請求項１１】
上記請求項１０記載の画像読取装置に於いて、該原稿照明手段のレジスタリセット信号セット後に、補助光源手段分の点灯制御信号のみを点灯し、原稿主走査幅を検出することを特徴とした画像読取装置。
【請求項１２】
上記請求項１１記載の画像読取装置に於いて、主走査原稿幅を該補助光源手段を用いた光電変換手段の読み取り値から判断し、副走査原稿幅を反射型原稿サイズ検知センサによって検出することによって原稿照明領域（原稿サイズ）を検出することを特徴とした画像読取装置。
【請求項１３】
複数の発光素子で構成された原稿照明手段（線光源）と、原稿反射光を読み取る光電変換手段と、原稿サイズ検出手段と、検出原稿サイズの主走査領域に応じた原稿領域点灯制御手段と、シェーディング補正手段と、操作手段を持って構成された画像読取装置に於いて、セット原稿の端部（エッジ）を照明する近隣発光素子の光量制御手段を持たせ、原稿領域のみの点灯制御状態でのシェーディング補正、及び、原稿走査を行うことを特徴とした画像読取装置。
【請求項１４】
上記請求項１３記載の画像読取装置に於いて、該原稿照明手段を構成する発光素子が白色ＬＥＤであることを特徴とした画像読取装置。
【請求項１５】
上記請求項１３記載の画像読取装置に於いて、該原稿サイズ検出手段による原稿サイズ確定後、原稿端部を照射する発光素子の発行量を調整する制御手段と、設定された原稿領域におけるシェーディング補正、及び、原稿走査を行うことを特徴とした画像読取装置。
【請求項１６】
上記請求項１５記載の画像読取装置に於いて、該検出原稿端部近傍を照射する発光素子の光量を明るくなる方向に調整することを特徴とした画像読取装置。
【請求項１７】
複数の発光素子で構成された原稿照明手段（線光源）と、原稿反射光を読み取る光電変換手段と、原稿サイズ検出手段と、検出原稿サイズの主走査領域に応じた原稿領域点灯制御手段と、シェーディング補正手段と、操作手段を持って構成された画像読取装置に於いて、原稿圧板、若しくは原稿搬送手段の開閉動作（状態）検出手段の結果と設定された原稿サイズによって原稿照明領域を制御することを特徴とした画像読取装置。
【請求項１８】
上記請求項１７記載の画像読取装置に於いて、原稿圧板若しくは、原稿搬送手段が閉状態で原稿走査を実行する場合、検出された原稿サイズにかかわらず、該原稿照明手段は全領域点灯状態でシェーディング補正を行い、同じく該原稿照明手段は全領域（全発光素子）点灯状態で原稿走査を行うことを特徴とした画像読取装置。
【請求項１９】
上記請求項１７記載の画像読取装置に於いて、原稿圧板若しくは、原稿搬送手段が開状態で原稿走査を実行する場合、検出された原稿サイズに応じて該原稿照明手段の点灯領域を調整し、該原稿サイズに対応する領域における原稿照明手段の点灯状態でシェーディング補正、原稿走査を行うことを特徴とした画像読取装置。
【請求項２０】
上記請求項１９記載の画像読取装置に於いて、該原稿照明手段は原稿サイズに応じた原稿端用の補助光源を持ち、シェーディング調整、原稿走査時には原稿領域における原稿照明手段と該選択された補助光源を点灯することを特徴とした画像読取装置。
【発明の詳細な説明】
【技術分野】
【０００１】
本発明は、消費電力が少ないＬＥＤ等の発光素子を用いて構成されたライン光源（線光源）を原稿照明手段として用いて構成される画像読取装置に関する。
【背景技術】
【０００２】
従来、画像読取装置の原稿照明手段としては、ハロゲンランプ、蛍光灯、キセノン管と言った円柱状の管光源（線光源）が用いられていた。ハロゲンランプは大光量、瞬時点灯応答性の高さから画像読取装置に於いて長きにわたって利用されていたが、消費電力の高さと発熱量の多さから近年の画像読取装置での使用は少なくなっており、省電力の少ない蛍光灯、キセノン管などの放電管の使用が近年の画像読取装置の主流を占めている。
【０００３】
しかし、蛍光灯は光量の立ち上がり特性や光量安定性の問題と、近年の有害物質削減の機運の高まりから光量確保に用いられる水銀が使用されている点から使用を控える傾向にあり、かつキセノン管は立ち上げ特性が優れているものの光量が若干少ない、光量上昇と共に発熱量が増大する、1000V〜2000V程度の高圧給電が必要である等の問題点もあった。その様な背景の中、更なる低消費電力化と有害物質削減の両面から、近年発光量が飛躍的に増えつつあるＬＥＤ等の半導体光源を用いた照明手段の採用が現実のものとなってきている。
【０００４】
ところで、上述した従来の原稿照明手段は線光源であるが、部分的に点灯制御を行うことができない。それは、ハロゲンランプが直列接続された複数のフィラメントで構成されている為に部分的な給電制御ができない構造であること、蛍光灯、キセノン管が電極間の放電現象を利用した構成である事が要因である。その為、画像読取装置に用いられる原稿照明ランプは原稿サイズに関わらずランプ全体を点灯制御し画像を読み取ることが常識となっており、ランプの配光が均等となるような補正制御を行いつつ画像を走査していた。その為、オフィスやコンビニエンスストアー、文具店等で扱われる画像読取装置は、原稿主走査方向２９７ｍｍ（ＡＢ系原稿であるＡ３サイズのＲ方向セット時の最大読み取り幅）の全域を照明することから、画像読取装置の原稿圧板や原稿搬送装置等の開放状況下で原稿読み取り最中に、セット原稿幅以外の領域（２９７ｍｍ未満の幅の原稿セット時）から漏れてくる原稿照射光がオペレータの目に対して強い刺激を与え、時に目に悪影響を及ぼすことも有った。
【０００５】
しかし、部分点灯制御ができない原稿照明手段を用いていた従来の画像読取装置に於いては、画像読取装置の原稿台ガラス近傍へオペレータへの注意を促す「原稿照明光を直視しないで下さい。」と言った警告ラベルを貼り付けることや、取扱説明書への原稿照明光の直視の危険性を警告する警告文の記載を行う以外の対策を取る術がなく、そのままの形態を維持したまま画像読取装置の常識として放置されてきた。
【０００６】
この様な、画像読取装置の常識（固定概念）を見直し、環境面に配慮した画像読取装置の原稿照明手段として（白色）ＬＥＤをアレイ状に形成した原稿照明手段を用い、原稿を照明して原稿を走査する原稿読取装置として、次のようなものが提案されている。
【０００７】
（従来例１）原稿を照射する光源として千鳥状に発光素子を配置した白色ＬＥＤアレイを使用し、原稿サイズや用途に応じて白色ＬＥＤアレイの点灯領域を可変する制御手段と、点灯領域制御手段と、点灯消灯制御手段と、点灯光量制御手段とを有し、原稿サイズ検出手段によって検出された原稿サイズ領域だけを点灯制御するものがある（例えば、特許文献１参照）。
【０００８】
（従来例２）また、原稿を照射する光源として主走査方向と平行に発光素子を配置した白色ＬＥＤアレイを使用し、各々の発光素子に対する電流量を制御することによって白色ＬＥＤの発光量を個別に調整することによってＢｏｏｋ原稿等の中央部に生じる影を無くすものがある。（例えば、特許文献２参照）。
【０００９】
（従来例３）また、白色ＬＥＤを主走査方向にアレイ状に並べて、該ＬＥＤアレイの近傍、延在方向に沿って配置された複数の発熱手段、複数の温度検出手段を有し、ＬＥＤアレイの点灯駆動制御を行うと共に、各温度検出手段による検出結果に応じて発熱手段を駆動制御し、照明光量と発光スペクトルの変動を抑制するものがある。（例えば、特許文献３参照）。
【００１０】
（従来例４）また、Ｒ，Ｇ，Ｂの複数色のＬＥＤ光源を持ち、カラーコピーの時と白黒コピーの時の点灯時間、電流値を設定し有効画像領域に於ける光量補正を行い、有効画像領域に於ける最適な光量調整を行うものがある。（例えば、特許文献４参照）。
【特許文献１】特開２００２−２４７２９６号公報
【特許文献２】特開２００２−３１４７６０号公報
【特許文献３】特開２００２−２８１２４０号公報
【特許文献４】特開２００１−１６９０５４号公報
【発明の開示】
【発明が解決しようとする課題】
【００１１】
しかしながら、上記従来例１では、原稿サイズ検出手段によって検出された原稿サイズの原稿領域のみを点灯制御可能であるが、原稿領域外の発光素子を消灯した状態で画像を読み取っている為、原稿照明手段の全領域を点灯制御している状態に対して原稿端部の光量が少ない上に、集光レンズ等を持った縮小光学系に於いてはコサイン４乗則や、口径食と言った大幅な光量減衰現象を改善することが難しく、原稿端部のＳ／Ｎが極端に悪くなり、黒くカブッタ画像となることを解決することが難しかった。
【００１２】
また、上記従来例２では、個別の発光素子の光量を調整することが可能であるが、原稿領域の所定範囲の光量を制御することによって原稿中の低濃度部（原稿浮き部）に対する光量を上げてかぶりを改善するものであり、原稿を忠実に読み取るための調整とは異なるものである。
【００１３】
また、上記従来例３では、白色ＬＥＤアレイの連続点灯時の発熱によって各々のＬＥＤの温度変化に起因した照度不均一性や色味変動を補うためにＬＥＤアレイ近傍の温度調整を行うことによって光源の制御を行うものであるが、原稿サイズに応じた部分点灯時の端部照度補正を行う為のものではない。
【００１４】
また、上記従来例４では、Ｒ，Ｇ，Ｂ等の複数色を持って有効画像領域に於ける光量補正をＬＥＤの点灯時間と電流値の制御によって最適に調整するものであるが、有効画像領域外からの光量不足とコサイン４乗則や口径食による光量劣化を考慮していないため、有効領域端部における大幅な光量不足を生じ、カブリ画像やＳ／Ｎの極めて悪い画像となる為、最適な光量調整を実行するには至らない。
【００１５】
以上の事例から、原稿外領域に於ける不要な照明光を無くし、オペレータの目の負担を軽減することのできる原稿領域点灯方式は今後の省エネルギー、環境対応の観点からも重要となってくる。しかし、従来の画像読取装置では原稿領域を選択的に照明することのみに言及しただけに過ぎない為、現実的に原稿外領域から入ってくることによって均一な配光を維持していた照明系の原稿端部における照度の落ち込みを補うことの必要性に対する言及がなされていなかった。
【００１６】
そこで、本発明の目的は、不要な原稿外領域に対する照明を行わない照明手段の点灯制御と、原稿端部補助照明手段の点灯制御と、原稿サイズ毎の最適なシェーディング補正を行うことによって従来のハロゲンランプ、蛍光灯、キセノン管と言った光源を用いた画像形成装置と同等な配光特性を原稿サイズ毎に得られるようにした低消費電力の原稿照明手段を搭載した画像読取装置を提供することである。
【課題を解決するための手段】
【００１７】
本発明は、原稿サイズ検出手段によって検出された原稿サイズに応じた原稿領域内部だけを点灯制御する原稿照明手段の部分点灯制御手段と、検出された原稿サイズに応じた原稿端部補助照明手段の点灯制御と、原稿サイズ毎の最適なシェーディング補正を行うことによって必要最低限の原稿照明素子の点灯制御によって最適な画像読み取りを実現可能な画像読取装置を提供することが可能となる。
【００１８】
上記、課題・目的を解決する為に、本発明は、複数の発光素子で構成された原稿照明手段（線光源）と、原稿反射光を読み取る光電変換手段と、原稿サイズ検出手段と、検出原稿サイズの主走査領域に応じた原稿領域点灯制御手段と、シェーディング補正手段と、操作手段を持って構成された画像読取装置に於いて、セット原稿の端部（エッジ）に対して、原稿サイズ毎に光量を補うための補助照明手段を持たせたことと、該原稿照明手段を用い、原稿領域のみの点灯制御状態でのシェーディング補正、及び、原稿走査を行うことを特徴とした画像読取装置を提供するものである。
【発明の効果】
【００１９】
本発明は、白色ＬＥＤアレイで構成した原稿照明手段を用い、原稿領域のみを照明して原稿走査を行う装置に於いて、原稿サイズ毎に変動する原稿照射時の端部光量の減衰を補助光源で補い、配光特性を改善した上で各々の原稿サイズに最適なシェーディング補正を行うことによって画像品質を高める効果と、原稿照明光が原稿外領域から漏れ出ることによってオペレータの目の健康を害することを予防する効果がある。
【発明を実施するための最良の形態】
【００２０】
（実施例１）
以下に、本発明の画像読み取り装置の実施例を説明する。図１は本発明の画像読取装置のブロック図を示している。先ず、画像形成に係わるハード構成を説明する。１０１は、画像読み取り装置のコントローラを示しており、ＣＰＵ（１１２）を中心とした記憶手段と、シェーディング手段を含んだ信号処理手段（１１９）、ランプ制御手段（１１０）等を含んでいる。画像読み取り装置の演算処理装置としては、１０７に示すＣＰＵが存在しており、内部ＲＡＭ（１１４）若しくは、該部ＲＡＭ（１１６）に装置動作中に生じた条件等が一時記憶として格納される。
【００２１】
ＲＯＭ（１１７）は画像読み取り装置のメインプログラムが格納されている。ＲＯＭは近年ではフラッシュメモリ等、プログラムを書換え可能な半導体メモリで構成されることも多く、安価なマスクＲＯＭへ移行する前段階で、ソフト安定性向上時期にはフラッシュメモリが多用されている。ＥＥＰＲＯＭ（１１５）はバックアップメモリであり、装置動作モードや工場調整結果の様な電源ＯＦＦ時に消去されては困る設定内容等をback up する為のメモリ（記憶装置）である。信号処理手段（１１９）は本件ではＡＳＩＣをイメージしており、本件の殆どの信号処理手段を集約した構成となっている。
【００２２】
細かい処理は多々あるが、本発明に沿ってＡＳＩＣ部の構成は簡略化して記載した。パルス生成手段（１２１）は、ＣＣＤ、ＣＩＳ等の光電変換素子（１０８）（以下、ＣＣＤと表記）の駆動クロックや、不図示のＡＳＩＣ内部の処理クロック、不図示の原稿読み取り装置内部の同期信号等を生成する部分である。パルス生成手段（１２１）から出力されたＣＣＤ駆動パルス、及び、Ａ／Ｄ変換手段（１０９）用の変換クロック（不図示）が画像読み取り手段（１０２）に供給されると、ＣＣＤ（１０８）のアナログ出力はＡ／Ｄ変換手段（１０９）を介してディジタル信号（ｖｉｄｅｏ信号）に変換される。画像読み取り装置は装置内部で、黒信号レベルと白信号レベルを調整するが、黒信号レベルは光源（１０３）消灯状態に於けるＣＣＤ（１０８）の信号レベルのＤＣオフセットを初期設定値（例えば、Ａ／Ｄ変換機（１０９）出力値が０８(HEX)  程度のレベル）になるように不図示のＤＣオフセット調整手段で合せることによって処理が行われる。又、白レベル調整は、光源（１０３）点灯状態に於ける、不図示のシェーディング板（白色基準板）ＣＣＤ（１０８）の信号レベルがターゲットレベル（例えば、分解能８ｂｉｔとした場合、Ｆ０(HEX)  程度のレベル）となるように不図示の可変アンプのゲイン調整によってレベル整合を行う。（但し、光源側に調光機能を有し、白色ＬＥＤの供給電流をＬＥＤ毎に調整できる場合には光源側で調整してもかまわない。
【００２３】
ゲイン調整よりも光量アップの方がＳ／Ｎは良くなる。）本件では、光源（原稿照明手段＝光源）（１０３）の配光ムラやＣＣＤ（１０８）の感度ムラ等の補正を行う為のシェーディング補正を画像処理手段（１２２）でひとまとめに処理している。画像処理手段（１２２）を介してシェーディング補正を実行すると、ｖｉｄｅｏ信号に応じた補正係数が求められ、記憶手段（１２３）に記憶される。
【００２４】
この記憶手段（１２３）に記憶された補正係数は、画像読み取り時に参照され、配光ムラや感度ムラが改善される。尚、発信器（１２０）は、信号処理手段（１１９）のメインクロックを供給する。同様に、発振器（１１３）は、ＣＰＵ（１１４）のメインクロックを供給する。
【００２５】
次に、画像読み取り装置の制御に沿って残りの構成を説明する。不図示の画像読取装置に、同じく不図示の原稿圧板がセットされている場合、オペレータは先ず、原稿圧板（不図示）を開放し、不図示の原稿を画像読取装置上の所定位置にセットし、原稿圧板（図１−１０４は原稿搬送手段として記載）を閉じる。
【００２６】
この際、原稿圧板が閉じられて所定の角度以下になった時にＤＦ開閉ＳＷ（１０７）がＯＮ状態（Ｌ⇒Ｈ，若しくは、Ｈ⇒Ｌ）となり、原稿圧板が閉じかけ状態にあることをＣＰＵ（１１２）の入力ポートに入力する。ＣＰＵ（１１２）はこの入力ポートのレベル変化から原稿がセットされたことを判断し、原稿サイズ検出手段（１０６）を駆動し、原稿サイズを検出する。（原稿サイズ検出方式にはいくつか方式があり、どの様な方法でも同様な結果が得られることから、今回は反射型原稿サイズ検知センサを主走査幅側：２個、副走査幅側：２個配置した構成で説明する。）原稿サイズ検出手段の配置は図３に示す。
【００２７】
この様に配置された原稿サイズ検出手段によって、ＡＢ系の原稿サイズはＢ５，Ａ４，Ｂ５Ｒ，Ａ４Ｒ，Ｂ４，Ａ３の計６通りが検出可能となる。又、主走査原稿幅に関しては、計４種類（Ｂ５Ｒ／Ａ４Ｒ／Ｂ５＝Ｂ４／Ａ４＝Ａ３  の４種類）となる。検出された原稿サイズは、ＣＰＵ（１１２）の内蔵ＲＡＭ（１１４）又は、アドレス・データバス（１１８）を介して接続される外部ＲＡＭ（１１６）に格納さる。同時に、不図示のミラー台ユニット（光源、反射ミラー等を含んだ原稿走査ユニット）を不図示のシェーディング板（基準白色板）読み取り位置に移動する。尚、上記ミラー台ユニットの移動制御は、原稿サイズ確定後、ＣＰＵから光学モータ／制御回路（１０５）へ不図示の制御信号（ＣＷ／ＣＣＷ切り替え信号、モータクロック、相電流制御信号（ＤＣレベル））を送ることによって実行される。（上記説明で、光学モータは２相ステッピングモータを想定して説明を行っている。
【００２８】
モータ制御信号は、制御回路（１０５）上の不図示のドライバによって、  ＋Ａ相、−Ａ相、＋Ｂ相、−Ｂ相の励磁パターンに変換されてモータに供給される。）ミラーユニットがシェーディング板読み取り位置に移動すると（移動に必要なモータクロックのカウント数が必要カウント数に達すると、）、ＣＰＵ（１１２）は記憶した原稿サイズデータに基づいて、ランプ制御手段（１１０）に内蔵された発光素子選択手段（１１１）によって原稿領域を点灯制御する為のシリアルデータ（イメージは、図９−９０９，９１０）が作成され、光源（１０３）の不図示の白色ＬＥＤアレイドライバ部に転送される。（尚、発光素子の点灯・非点灯制御、発行素子選択手段、発光素子レジスタ構成に関しては、後ほど図８、図９、図１０を用いて説明を行う。）
上記、原稿領域点灯制御用のシリアルデータは、不図示の白色ＬＥＤアレイドライバに保持され、操作部（１２５）上に用意された入力手段（１２８）の１機能である不図示のコピーボタンが押されることによって、別途ＣＰＵ（１１２）の出力ポートから不図示のランプＯＮ／ＯＦＦ信号を発し、検出原稿主走査幅に相当する部分の光源（１０３）の点灯制御を行う。同時に、ＣＣＤ（１０８）の駆動制御が行われ、不図示のＣＣＤ駆動パルス、及び、Ａ／Ｄ変換手段（１０９）用の変換クロック、ＣＣＤ−ＯＮ信号が制御され、シェーディング板の読み取りレベルがＡ／Ｄ変換手段（１０９）を介して信号処理手段（１１９）に入力される。読み取ったシェーディング板のイメージデータからシェーディング補正係数が算出される。（シェーディング補正係数の算出手段は以下の従来技術文献を参照：特開平７−２９８０４６、特開平１１−６９１５４）通常、ＣＣＤ−ＯＮ信号はＣＰＵの出力ポートを用い、ＣＣＤ（１０８）用の駆動電源を生成する３端子レギュレータ等の出力制御に用いられ、ＣＣＤ−ＯＦＦ信号に同期してＣＣＤ（１０８）がＯＦＦ状態となる。
【００２９】
又、制御上の問題ではあるが、ＣＣＤ−ＯＮ／ＯＦＦ信号とＣＣＤ駆動パルスは同期制御を行う物とする。（ＣＣＤは常時ＯＮ状態だと消費電力、機内昇温、不要輻射の観点から好ましくない為、コピーボタン同期でＯＮ制御する。）操作部（１２５）に於いて、表示手段（１２７）はコピー枚数、コピーモード等、画像読取装置の設定状況下確認する為のマンマシンインターフェースであり、本件は液晶パネルを想定し、表示制御手段（１２６）は液晶コントローラ（ドライバ）を想定している。
【００３０】
以上に説明した装置構成を元に、問題としている現象と、本件の動作フロー、ハード構成・制御構成を以下に順を追って説明していく。
【００３１】
図２は、一般的に知られている光学特性を示した例である。図２-(a)は、コサイン４乗則を示した図であり、図２-(b)は、口径食を示した図である。コサイン４乗則とは物理学の法則であるが、光軸に対して角度を持って入射した光線束の明るさが、入射角のコサインの４乗に比例して低下することを指した法則であり、光軸から離れるほど光量が減少することを指している。即ち、図２−２０１で示す様な光軸上を入射し、集光レンズ（２０３）を経て結像面（２０４）で結像する光速（２０５）の光量を「１」とした場合、入射角度Θを持った入射光は集光レンズ（２０３）を経て結像面（２０４）で結像する光速（２０６）の光量は「ｃｏｓ４Θ」となる。
【００３２】
例えば、Θ＝３０°の場合には、ｃｏｓ４（３０°）＝０．５６２５  となる。
【００３３】
この法則によれば、光径食の影響を受けないレンズを用いた場合でも３３°以上の入射角度を持った入射光は、光軸に対して５０％以下の光量しか得ることができないことが解る。
【００３４】
図１２に入射角度と減衰率の関係を示した。１２０１は、Θ：０°〜９０°までのｃｏｓ、ｃｏｓ４、の値を示したグラフである。１２０２は、Θ：０°〜９０°までのｃｏｓ４の値を示した表である。更に、画像読取装置のイメージとして、光源と光電変換手段の距離：Ｌを考慮したイメージ図（１２０３）より、光電変換手段上の光量は１２０４に示す通り距離の二乗に反比例し、コサイン４乗に比例する関係が有ることがわかる。ここで、Ｅは光源の光量を示し、ＥＬは光電変換手段上の光量を示している。
【００３５】
次に、口径食の説明を行う、口径食とは、レンズ周辺部に入射する光線束が有効口径である絞り径の全域を通ることなく、絞り前後のレンズの縁や枠などによって遮断され、周辺部の光量が低下する減少である。即ち、図２-(b)に示した通り、レンズ鏡筒（２１２）を構成する前枠（２０７）、絞り（２１１）、後枠（２０８）を通過する中心光速（２０１）と周辺光速（２０２）では図に示した通り、絞り（２１１）を通る光速の幅が明らかに異なり、中心光速の結像位置（２１０）に対して、周辺光速の結像位置（２０９）の光量が低下することが理解できる。
【００３６】
即ち、これらの理由により周辺光量が中心考量よりも大幅に低下することは画像照明手段としてハロゲンランプが用いられていた頃から考慮されており、ハロゲンランプではコサイン４乗則、口径食等による光量ダウンを見越し、ランプ両端部の光量を中心部よりも持ち上げた配光特性の光源を用意していた。具体的には、発光部に当たるフィラメントの配置密度を管の両端部だけ高めて対応を取っていた（不図示）。又、蛍光灯、キセノン管等は電極間の放電を利用して蛍光体を発光させているが、多少の配光調整はできるが蛍光体塗布工程が煩雑になる（安定しない）ことと、ハロゲンランプほど光量が持ち上がらない、等の理由から管長を長くし、フラット配光部を長くして使用していた。その為、ハロゲンランプを搭載した原稿読取装置は奥行き方向が長くなる。
【００３７】
これらの理由から、白色ＬＥＤアレイで構成した原稿照明手段、特に、原稿領域内のみを照明しようとした場合には原稿端部の光量を持ち上げる工夫が必要となる。
【００３８】
次に、図３を用いて本発明の構成を説明する。３０１は原稿読取装置の原稿台ガラスを示しており、原稿はこの原稿台ガラスの左上側を突き当て基準としてセットされる。シェーディング板（白色基準板）（３０２）は白色ＬＥＤアレイ（３０７）によって照明され、原稿反射光が不図示の第１ミラー、第２ミラー、第３ミラーを介して集光レンズ（３０９）を経てＣＣＤ（３１０）に結像する構成を持っている。ここで、３０８は白色ＬＥＤアレイ（３０７）上に構成され、Ｂ５Ｒ（３１１）、Ａ４Ｒ（３１２）、Ｂ５（３１３）／Ｂ４（３１４）、Ａ４（３１５）／Ａ３（３１６）に示す原稿端部に配置された補助光源を示しており、原稿サイズ検知手段（３０３，３０４，３０５，３０６）によって検出された原稿サイズに応じて白色ＬＥＤ光源（３０７）の発光領域が決定される。即ち、原稿サイズ検出手段によってＢ５（３１３）サイズの原稿が検出されれば、シェーディング板（３０２）の３２０の位置を原稿端として、３１７に示す原稿突き当て位置、若しくは原稿突き当て側の原稿外領域までのＬＥＤの点灯制御と、３２０の位置と３１７の位置に該当する補助光源（３０８）を点灯する。同様にＢ５Ｒ（３１１）原稿の場合にはシェーディング板の３１８の位置まで、Ａ４Ｒ（３１２）原稿の場合にはシェーディング板の３１９の位置まで、Ａ４（３１５）／Ａ３（３１６）原稿の場合にはシェーディング板の３２１の位置まで点灯制御される。図中３２２は光学センターを示している。即ち、３２２に示す位置から主走査両方向に位置する部分はコサイン４乗則と口径食に影響によって光量低下が顕著となる。
【００３９】
実際の配光例を図４に示す。（尚、図4中の説明図は実際には、４１４や４１５に示す様な実線で示した配光特性を示す。しかし、説明図を書くに当たって本件で問題としている部分（斜線部の配光ｄｏｗｎ）を明確に示す為、説明図は破線の配光特性を元に行っている。）図４は、原稿サイズ領域における白色ＬＥＤ点灯制御を行った時の配光図であり、図４-(b)は全領域点灯（原稿領域のみの点灯では無い）時の配光（４１３）（ハロゲンランプ、蛍光灯、キセノン管、全領域を点灯した白色ＬＥＤ光源の配光）を示している。（但し、今回の説明では端部以外はフラットの特性の様に配光特性を示しているが、実際には発光素子の中央部から外側に向けて白色ＬＥＤの制御電流が大きくなるように制御しない限り、蒲鉾型の配光特性になることは言うまでもなく、原稿端部の光量減少を顕著に図示したまでである。）即ち、突き当て基準位置（４０１）に対して原稿外領域に十分な白色ＬＥＤ素子を配置し、同様にＡ３原稿幅を超えた領域にも十分な白色ＬＥＤ素子を配置することによって、原稿領域内の配光（４１２）をフラットに保っている。ここで、４０２は白色ＬＥＤアレイの端部光量配光を示している。
【００４０】
図４-(a)は、白色ＬＥＤアレイ光源を原稿サイズに応じた領域のみ点灯制御した配光を示している。４１１は目安として光量１／２の領域を示したものであり、シェーディング補正で補ったとしてもＳ／Ｎは２倍以上悪化することを意味している。図中、４０３，４０５，４０７，４０９は白色ＬＥＤアレイ光源の点灯領域を示した物であり、各々、Ｂ５Ｒの原稿端での光量ダウン（４０４）、Ａ４Ｒの原稿端での光量ダウン（４０６）、Ｂ５／Ｂ４の原稿端での光量ダウン（４０８）、Ａ４／Ａ３の原稿端での光量ダウン（４１０）に示す様に、原稿端部位置が光学センターから遠くなるにつれて光量の減衰が大きくなる。
【００４１】
本件は、白色ＬＥＤアレイ光源を用いるに当たって、オペレータの目に与える影響を取り除くことを目的としている事から、図４-(a)に示す様な現象が発生することによる原稿端部のカブリや、Ｓ／Ｎ悪化に起因する画像のガサツキを改善する為に、図５に示す様な補助光源を持たせた白色ＬＥＤ光源を提案している。先ず最も重要なポイントは、定型原稿（５１７）の原稿端部に対して、白色ＬＥＤ光源（５１６の）の発光素子の照射スポットが必ず掛かるように構成されていることである。例えば、５０５に示す白色ＬＥＤが発する光は５０８に示す様な照射スポットを原稿（５０１）上に形成している。放射スポット（５０８）は２重丸で表現しているが、これはセンターから離れると光量が減少するイメージを図示し、光量の高いセンター近傍の照射スポットが原稿（５０１）の端部を照明している様を示すものである。
【００４２】
逆に、この配置でアレイは、若干の光量が原稿端部から漏れ出る事になるが、白色ＬＥＤの照射スポットはある程度の指向性を持っている為、オペレータに直接影響を与えることは無い。又、端部光量補助（５１８）で示した例は、原稿外領域からの原稿照明光が入ってこないことによって、原稿端部の配光が極端に減少することを防ぐべく、原稿端部に補助光源を配置している。その為、原稿（５０１）は補助光源（５０４、５０７）によって５０９，５１０の照射スポットを形成し、原稿端部を５０４〜５０７の白色ＬＥＤを用いたことによる４つの照射スポット（５０８，５０９，５１０，５１１）で照明されている。５１２は白色ＬＥＤアレイを構成する白色ＬＥＤの照射スポット（５１１）の相互照明効果によって供給される照明光の配光特性を示す。
【００４３】
又、５１５は原稿端部であり、補助光源が無い場合の配光は５１４、補助光源が点灯している場合には５１３の配光となる。この原稿端部の補助光源を持たせることによって、原稿領域照明光の配光は図６に示す様に改善される。（但し、今回の説明では端部以外はフラットの特性の様に配光特性を示しているが、実際には中央部から外側に向けて白色ＬＥＤの実装密度を上げて配置しない限り、蒲鉾型の配光特性になることは言うまでもなく、原稿端部の光量減少を顕著にする為に配光フラットで図示したまでである。
【００４４】
尚、本件の実際の配光特性は６１２，６１３に示す様な特性を持ち、６１２は原稿突き当て位置より外側の原稿外領域の白色ＬＥＤを点灯した配光特性を示し、６１３は原稿領域内のみを照明制御した時の配光特性を示している。更には、原稿端部の光量ｄｏｗｎ部を補助光源で補った部分、６０４，６０６，６０８，６１０部分は実際の配光特性にも反映される。）尚、６０１は原稿突き当て位置を示している。６０２は４０２同様、白色ＬＥＤアレイの端部配光特性を示している。
【００４５】
６０３，６０５，６０７，６０９は白色ＬＥＤアレイの点灯領域を示している（点灯領域は図４の補助光源無しのものと同じ）。これによって、光学センターからの原稿端部の位置条件の相違による光量減衰率の違いは有るものの、各々、Ｂ５Ｒ原稿端部配光（６０４）、Ａ４Ｒ原稿端部配光（６０６）、Ｂ４・Ｂ５原稿端部配光（６０８）、Ａ４／Ａ３原稿端部配光（６１０）は、配光１／２領域に比べて十分に補正される為に、原稿端部におけるカブリの改善効果とＳ／Ｎ改善効果が実現できる。
【００４６】
又、端部配光、６０４，６０６，６０８，６１０はコサイン４乗則や口径食、白色ＬＥＤの照度バラツキ等の要因から個々に異なるため、原稿サイズ検出手段によって検出された原稿サイズに応じた白色ＬＥＤ光源の点灯領域（６０３，６０５，６０７，６０９）が選択される度に、個々にシェーディング補正を行い、最適な補正係数を算出し画像形成を行う必要がある。（シェーディング補正のみ白色ＬＥＤを全て点灯した場合は特に原稿端部の補正係数が異なってくる為、端部画像にシェーディングスジが生ずることがある。）
次に、白色ＬＥＤアレイ光源の点灯制御についてだが、光源点灯制御の領域として図７-(a)と図７-(b)の二通りが考えられる。図７-(a) は、原稿外領域まで余裕を持って構成された白色ＬＥＤ光源（７０４）を搭載した原稿読取装置の例を示した。７０１はシェーディング板、７０２は原稿台ガラスを示しており、原稿（７０３）は突き当て基準（原稿台ガラスの左上を基準とする）にセットされている。
【００４７】
この場合のメリットとして、突き当て基準側の原稿外領域に白色ＬＥＤが複数配置されていることによって、突き当て側の端部光量は減少が少なくて済む。又、反対側の原稿端部は、補助光源の点灯によって端部光量の減少を改善することができる。７０５の白丸は、白色ＬＥＤが点灯状態であることを意味しており、７０６の黒丸は、白色ＬＥＤが消灯状態であることを意味している。図７-(b)は、原稿領域のみを照明可能な様に構成した白色ＬＥＤ光源（７０８）を搭載した原稿読取装置の例を示した。７０７はシェーディング板、７０２は原稿台ガラスを示しており、原稿（７０３）は突き当て基準（原稿台ガラスの左上を基準とする）にセットされている。この構成のメリットは原稿読取装置の外形寸法を小さくできる所にある。尚、白色ＬＥＤの点灯、消灯状態は図７-(a)と同じであり、７０５の白丸は、白色ＬＥＤが点灯状態であることを意味しており、７０６の黒丸は、白色ＬＥＤが消灯状態であることを意味している。又、原稿端部の補助光源は両端部で点灯状態であり、端部光量の減少を軽減している。
【００４８】
次に、白色ＬＥＤアレイ光源の構造を図８に示す。ここで、あえて（ａ）、（ｂ）と分けたのは、原稿照明用の白色ＬＥＤ部（ａ）と補助光源部（ｂ）を個別にし、補助光源部の光源８０９に白色ＬＥＤを２個使いする様な違いを持たせる為である。白色ＬＥＤの点灯方式は（ａ）、（ｂ）共に同じとなる。以下に、図８、図９、図１０を用いて白色ＬＥＤアレイ光源の構成を説明する。図８に於いて、８０１は白色ＬＥＤ素子を示している。８０２は白色ＬＥＤに流れる電流をＯＮ／ＯＦＦするスイッチ用のトランジスタである。
【００４９】
白色ＬＥＤの発光量は、白色ＬＥＤとトランジスタ（８０２）の間に存在する電流制御抵抗によって制限を受け、抵抗値が小さければ白色ＬＥＤの発光量は増加し、逆に抵抗値が大きければ白色ＬＥＤの発光量は減少する。８０４は白色ＬＥＤアレイの選択信号を転送する為のシフトレジスタ（Ｄフリップフロップ）であり、白色ＬＥＤ選択データ（８０６）を転送クロック（８０７）のクロック同期で転送する。シフトレジスタ（８０４）で設定されたデータは、リセット信号（８０５）が入力されるか、転送クロック（８０７）が進まないか、不図示の電源供給を停止しない限り同じ状態で保持され続ける。各シフトレジスタ（８０４）にデータが転送し終わった後に、ＬＡＭＰ点灯信号（８０８）がアクティブ“Ｈ”で供給されると、ＬＡＭＰ点灯信号が“Ｈ”で供給されている期間中はＡＮＤ回路（８０３）の出力が“Ｈ”で保持され、トランジスタ（８０２）はＯＮ状態となる。即ち、白色ＬＥＤアレイが点灯する。
【００５０】
この構成は、図８-(a),(b)は回路構成が同じ為、(b)の個別説明は省く。続いて、繰り返しになるが、図９を用いて白色ＬＥＤ選択データの転送イメージを説明する。例えば、９０１に示す様な白色ＬＥＤアレイが有り、Ｑ１‘〜Ｑ４’までの白色ＬＥＤが点灯する為のデータは９１０に示す様な転送クロック（９０８）の９クロック分のデータ列後半４クロック分の幅を持つ選択信号である。
【００５１】
即ち、不図示の白色ＬＥＤ選択手段によって選択された選択信号が、白色ＬＥＤアレイの素子数分のレジスタに対して、転送距離の遠くに配置する発光素子から順番に並べられる。そして、発光素子の数と同数の転送クロックによって９１０⇒９０９と言った具合に順番にシフトレジスタ間を転送されていく。図８の説明とダブルが、９０３はシフトレジスタのデータをリセットするリセット信号、９０４は白色ＬＥＤ選択信号（９０９，９１０）、９０５は転送クロック（９０８）、９０７は白色ＬＥＤに供給される電源である。９０２は原稿端部に位置することを示す為に矢印をつけている。
【００５２】
続いて、図１０について説明する。図１０は上述した構成を簡単なブロック図で示した物である。即ち、不図示の圧板閉検知センサの閉検出信号がトリガとなり、原稿サイズ検知手段（１００２）による原稿サイズ検出結果がＣＰＵ（１００１）の入力ポートに入力されると、ランプ制御手段（１００３）上の発光領域選択手段（１００４）に原稿サイズコードが送られる。発光領域選択手段（１００４）では、原稿領域に相当する白色ＬＥＤを“Ｈ”アクティブで設定し、シフトレジスタ（１００５）にシフトする。
【００５３】
シフトレジスタにデータがセットされると、不図示の転送クロックによって白色ＬＥＤ光源（１００７）のシフトレジスタに転送し、保持される。ＣＰＵ（１００１）は、オペレータによってコピーボタンが押されると原稿読み取り動作を開始し、ランプＯＮ／ＯＦＦスイッチ（１００６）から白色ＬＥＤ光源（１００７）の点灯制御を実行する。
【００５４】
１００７＿１、１００７＿２は補助光源と原稿照明用白色ＬＥＤアレイのデータ転送用シフトレジスタ構成例を示した物である。１００７＿１の構成は、原稿サイズに応じた白色ＬＥＤ領域に相当するデータ（１００９）を先行して転送し、最後に補助光源用のデータ（１００８）を続けて転送する。この構成のメリットは、白色ＬＥＤ光源を用いて原稿主走査幅を検出する際に、不図示のリセット信号に続いて、補助光源データ（１００８）を５クロック分転送してランプ点灯信号を送ることで、原稿端部の補助光源の点灯制御が可能となることにある。即ち、補助光源で照明された原稿反射光が不図示のＣＣＤによって読み取ることができれば、原稿主走査幅が判別できることを利用し、主走査分の原稿反射型センサ２個分のコストダウンが可能となる。
【００５５】
次に、１００７＿２の構成であるが、こちらは白色ＬＥＤアレイと補助光源の並び順に転送レジスタを繋いだ構成である。即ち、データ転送方向（１０１９）に準じて、補助光源５（１０１８）、原稿照明用白色ＬＥＤ（１０１７）、補助光源４（１０１６）、原稿照明用白色ＬＥＤ（１０１５）、補助光源３（１０１４）、原稿照明用白色ＬＥＤ（１０１３）、補助光源２（１０１２）、原稿照明用白色ＬＥＤ（１０１１）、補助光源１（１０１０）の順にデータ転送が行われる。この構成は配線長が最短となることである。
【００５６】
次に画像読取装置における制御フローを、図１１を用いて説明する。１１０１以降原稿読み取りを開始する。１１０２を介して、１１０３のフローで原稿搬送装置が装着されている場合にはセット原稿の有無によって制御が異なる。但し、原稿搬送装置が搭載されていない場合は原稿圧板モデルと判断し、１１０４のフローに進む。本説明では、原稿圧板モデルを先に説明する。１１０４のフローでオペレータが原稿圧板を開放し、１１０５のフローで原稿を原稿台ガラス上の突き当て基準位置にセットする。
【００５７】
１１０６を介して、１１０７のフローで原稿圧板の状態検出を行い、原稿圧板が閉じられると、不図示の原稿圧板検知手段によって原稿圧板閉じかけ状態を検出、かつ原稿サイズ検出手段を起動して、１１０８のフローで原稿サイズが決定する。又、１１０７のフローで原稿圧板が閉じられない場合には、１１１８の判断フローに移り、不図示の操作パネル（操作部）から原稿サイズが入力されるまで待機する。尚、１１１８のフローで原稿サイズが入力されなければ、１１２２のタイムオーバー判断フローにて、所定時間以内であれば１１０６，１１０７，１１１８，１１２２のフローを繰り返し、万が一、１１２２で所定時間以内の原稿サイズ入力がない場合には１１２３のフローで原稿読み取り動作を終了する。
【００５８】
１１１８のフローで原稿サイズ入力があった場合には、１１０９のフローを介して、１１１０のフローにてコピーボタンが押されたかどうかの判断フローに移る。１１１０のフローで、コピーボタンが押されない場合には、１１２０のタイムオーバー判断フローにて、所定時間以内であれば１１０９，１１１０，１１２０のフローを繰り返し、万が一、１１２０で所定時間以内の原稿サイズ入力がない場合には１１２１のフローで原稿読み取り動作を終了する。
【００５９】
１１１０のフローでコピーボタンが押されると、１１１１のフローで原稿サイズから決定される原稿照明領域のデータセットを行い、不図示の読み取りユニットを不図示のホームポジション（ＨＰ）へ移動する。尚、本件ではホームポジションがシェーディング補正を実行する位置とする。続いて、１１１２のフローで原稿照明手段の原稿領域点灯制御を行い、不図示のシェーディング板（白色基準板）の濃度レベルを読みながらシェーディング補正係数を算出する。シェーディング補正係数の算出が終了すると１１１３のフローによって上記１１１１のフローにて決定した原稿照明領域の原稿照明手段を点灯制御した状態で原稿走査を開始し、副走査方向の原稿領域を通りすぎた時点で原稿照明手段の消灯制御を行う。
【００６０】
１１１４のフローを介して、１１１５_次の原稿の判断フローに於いて、次の原稿が有る場合は１１０２のフローを介し、オペレータによる原稿セット及び、コピー開始制御を再度繰り返す。又、１１１５_次の原稿の判断フローに於いて、次の原稿が無い場合には、１１１６のフローにて原稿読み取り動作が完了し、不図示の読み取りユニットを不図示のホームポジション（ＨＰ）へ移動し、１１１７のフローで原稿読み取り動作を終了する。
【００６１】
但し、１１１３のフローで原稿照明手段の消灯制御を行っているが、連続して原稿を読み取る場合には原稿走査毎に原稿照明手段の点灯、消灯制御を行わないで、ＪＯＢ終了後に原稿照明手段を消灯しても構わない。又、今のフローの説明の中で原稿圧板として説明を行ったが、原稿搬送装置であっても同じである。次に、原稿搬送装置を搭載したモデルで、原稿搬送装置に原稿がセットされている場合のフローを１１０３のフローから説明する。
【００６２】
フロー１１０３で原稿搬送手段に原稿がセットされていると、１１２４のフローにて、原稿搬送手段の不図示の原稿ガイドのセット幅によって、原稿の主走査幅が確定する。原稿幅が決定すると１１２５のフローを介して、１１２６のコピーボタン判断フローへ移る。ここで、コピーボタンが押されなければ、１１３２のタイムオーバー判断フローにて、所定時間以内であれば１１２５，１１２６，１１３２のフローを繰り返し、万が一、１１３２で所定時間以内の原稿サイズ入力がない場合には１１３３のフローで原稿読み取り動作を終了する。
【００６３】
１１２６のフローで、コピーボタンが押されると、１１２７のフローで、先のフロー１１２４で決定された原稿主走査幅に相当する原稿照明領域が決定され、データセットを行い、不図示の読み取りユニットを不図示のホームポジション（ＨＰ）へ移動する。尚、本件ではホームポジションがシェーディング補正を実行する位置とする。続いて、１１２８のフローで原稿照明手段の原稿領域点灯制御を行い、不図示のシェーディング板（白色基準板）の濃度レベルを読みながらシェーディング補正係数を算出する。
【００６４】
シェーディング補正係数の算出が終了すると１１２９のフローから原稿搬送手段にセットされた原稿が搬送開始する。かつ、搬送中の原稿長手方向の長さは、搬送経路中に設けられた不図示のセンサによって検出され、搬送中の原稿サイズが確定する。１１３１のフローによって上記１１３０のフローにて決定した原稿照明領域の原稿照明手段を点灯制御した状態で原稿走査を開始し、副走査方向の原稿領域を通りすぎた時点で原稿照明手段の消灯制御を行う。原稿走査が完了すると、１１１４のフローを介し、１１１５_次の原稿の判断フローに於いて、次の原稿が有る場合は１１０２のフローを介し、１１０３の原稿搬送手段上の原稿セットの有無を判断するフローを介して、以下、１１２４移行のフローを繰り返す。（ここで、フロー１１１５とフロー１１０３は等価である。）又、１１１５_次の原稿の判断フローに於いて、次の原稿が無い場合には、１１１６のフローにて原稿読み取り動作が完了し、不図示の読み取りユニットを不図示のホームポジション（ＨＰ）へ移動し、１１１７のフローで原稿読み取り動作を終了する。
【００６５】
以上、説明した様な制御フローにのっとり、白色ＬＥＤアレイ光源を原稿領域のみ点灯制御し、原稿サイズ毎にシェーディング補正を行い、原稿読み取りを行うことで、コサイン４乗則や口径食の影響によって光軸から離れるほど減少する原稿照明光の配光特性を改善し、最適な画像読み取りを実行可能となる。
【００６６】
図１３は、Ｂ５Ｒサイズの原稿（１３０７）と、Ａ４Ｒサイズの原稿（１３０６）とＢ５／Ｂ４サイズの原稿（１３０５）と、Ａ４／Ａ３サイズの原稿（１３０４）を突き当て基準（１３０３）にセットし、各々の原稿サイズ領域のみを点灯制御した配光特性（１３０１）と、原稿サイズ毎のシェーディング補正を行った際の配光特性（１３０２）を図示したものである。この図から推測できるように、最大幅のＡ４／Ａ３サイズを読み取る光電変換素子の全ての画素のシェーディング補正係数をＢ５／Ｂ４サイズや、Ａ４Ｒサイズや、Ｂ５Ｒサイズに適用しても原稿端部を補正することができないことは一目瞭然であり、原稿領域のみを照明するような画像読取装置に於いては原稿サイズ毎の最適シェーディングを実行することによって最適画質の画像読み取りが可能となる。
【００６７】
又、画像読取装置には通常、原稿が浮かないように押し当てる為の原稿圧板、若しくは、原稿搬送装置がその代用を果たす。本発明の実施例の中で、原稿領域のみを原稿照明手段で照明すると説明したが、実際には上記原稿圧板が閉じた状態であれば原稿照明手段の原稿領域外から漏れ出る光もオペレータに影響を与えることは少ない。
【００６８】
図１４に原稿圧板の状態による動作の違いを説明する。原原稿圧板（１４０３）が閉じた状態で閉じている画像読取装置（１４０１）に於いて、原稿（１４１４）が原稿台ガラス（１４１０）上の突き当て基準（１４１２）に揃えてセットされている。この時、不図示の操作部から原稿サイズを指定し、コピーボタン（１４０８）が押されると、不図示の圧板検出レバーの状態から原稿圧板が閉じられていることを判断し、白色ＬＥＤアレイ（１４１６）は全領域（１４２０）の点灯制御を行う。その為、原稿幅（１４１８）に対して原稿照明手段の配光は１４２３に示すようになる。即ち、原稿領域外の発光素子が点灯される為、原稿端部の光量低下が最も少ない状態で画像読み取り領域全域に対してシェーディング補正を行い、原稿走査が行われる。（従来方式と同様）。
【００６９】
これに対して、原原稿圧板（１４０４）が開放された状態の画像読取装置（１４０２）に於いて、原稿台ガラス（１４０７）上に原稿（１４０６）がセットされている場合に、不図示の操作部から原稿サイズを指定し、コピーボタン１４０９が押されれば、圧板検出レバー（１４０５）の状態から原稿圧板が開放されていることを判断し、白色ＬＥＤアレイ（１４１７）は原稿領域（１４２１）の点灯制御を行う。図では原稿突き当て基準（１４１３）側の原稿外領域まで含んだ領域を点灯制御している。
【００７０】
ここで、１４１５は原稿であり、１４１１は原稿台ガラスを示している。原稿所走査幅は１４１９であるため、原稿照明手段（１４１７）の配光は１４２４に示すようになる。即ち、原稿突き当て側の光量は、原稿照明手段が全領域を点灯制御した場合と同じになる。但し、反対側の原稿端部に於いては、不図示の補助光源による配光改善効果によって光量の落ち込みが少なくなるように制御さる。即ち、原稿圧板（１４０４）が開放された状態で原稿領域に相当する原稿照明手段の点灯制御を行い、同じく原稿領域に対してシェーディング補正を行い、原稿領域に相当する原稿照明手段の点灯制御状態に於いて原稿走査が行われる。
【００７１】
（実施例２）
以下に、本発明の画像読み取り装置の第２の実施例を説明する。本構成は、実施例１に対して、以下の項目を変更して目的を達成するものである。
【００７２】
原稿照明手段の構成として、各原稿サイズの端部に照射スポットを当てることのできる白色ＬＥＤ、及び、該原稿端部近傍の原稿内側に照射スポットを当てることがきる白色ＬＥＤに於いて、検出された原稿サイズに応じて該当する原稿端部照射光源の電流調整（切り替え）を行い、原稿端部の照明光量をＵＰさせることで端部光量の落ち込みを改善するものである。
【００７３】
白色ＬＥＤアレイの電流設定手段として、点灯制御回路を電流制御抵抗切り替え回路として用いることによって、光量制御を行う。
【００７４】
以下に、図１５を用いて原稿照明手段の構成を説明する。図１５に於いて(a)は原稿照明用の白色ＬＥＤの点灯制御回路を説明した図である。１５０１は白色ＬＥＤ素子を示している。１５０２は白色ＬＥＤに流れる電流をＯＮ／ＯＦＦするスイッチ用のトランジスタである。白色ＬＥＤの発光量は、白色ＬＥＤとトランジスタ（１５０２）の間に存在する電流制御抵抗によって制限を受け、抵抗値が小さければ白色ＬＥＤの発光量は増加し、逆に抵抗値が大きければ白色ＬＥＤの発光量は減少する。１５０４は白色ＬＥＤアレイの選択信号を転送する為のシフトレジスタ（Ｄフリップフロップ）であり、白色ＬＥＤ選択データ（１５０６）を転送クロック（１５０７）のクロック同期で転送する。シフトレジスタ（１５０４）で設定されたデータは、リセット信号（１５０５）が入力されるか、転送クロック（１５０７）が進まないか、不図示の電源供給を停止しない限り同じ状態で保持され続ける。
【００７５】
各シフトレジスタ（１５０４）にデータが転送し終わった後に、ＬＡＭＰ点灯信号（１５０８）がアクティブ“Ｈ”で供給されると、ＬＡＭＰ点灯信号が“Ｈ”で供給されている期間中はＡＮＤ回路（１５０３）の出力が“Ｈ”で保持され、トランジスタ（１５０２）はＯＮ状態となる。即ち、白色ＬＥＤアレイが点灯する。ｒ１は白色ＬＥＤの標準抵抗を示すものとする。図１５- (b)は白色ＬＥＤの光量調整手段である電流設定回路を含んだ点灯制御回路である。１５０９、１５１２，１５１３で示したブロックが各々、各原稿端部、若しくは近隣の白色ＬＥＤ制御回路となる。
【００７６】
１５０９の白色ＬＥＤの電流設定回路は１５１１で示すｒ１、ｒ２、ｒ３の３つの抵抗が１５０２のトランジスタのＯＮ／ＯＦＦ制御によって、
ｒ１、
ｒ２、
ｒ３、
ｒ１・ｒ２／・（ｒ１+ｒ２）＝ｒ１／２（但し、ｒ１＝ｒ２）
ｒ１・ｒ３／・（ｒ１+ｒ３）、
ｒ３・ｒ２／・（ｒ３+ｒ２）、
ｒ１・ｒ２・ｒ３／（ｒ２・ｒ３+ｒ３・ｒ１+ｒ１・ｒ２）＝ｒ１／３
（但し、ｒ１＝ｒ２＝ｒ３）
の７通りの合成抵抗が選択できる。
【００７７】
即ち、ｒ１、ｒ２、ｒ３の３つの抵抗をセレクトする設定データを原稿サイズ確定時に転送し、原稿端部の照射スポット光の照度を上げることが可能となる。上記、抵抗値の例で、ｒ１＝ｒ２＝ｒ３の場合には２個の抵抗がＯＮしている時には抵抗値が１／２に、３個の抵抗がＯＮしている時には抵抗値が１／３になる。即ち、白色ＬＥＤに流れる電流を１倍〜３倍の間で設定可能であり、光量制御が可能となる。更に、図１０にシリアルデータの接続順を示したが、本方式は、１００７＿２に示した構成で組み上げることによって、原稿端部以外の時、ｒ１、のみを選択し、周辺に位置する白色ＬＥＤと同等の発光量に調整することも可能である。以下、上述の原稿照明手段を用い、原稿サイズ検出結果に基づいて原稿照明手段の点灯領域を点灯制御すると共に、同一点灯領域に於けるシェーディング補正を行い、原稿走査を実行することによって同様な効果が得られる。
【図面の簡単な説明】
【００７８】
【図１】本画像読み取り装置の構成図である。
【図２】コサイン４乗則、口径食による影響を説明する図。
【図３】原稿照明手段と原稿サイズの関係を説明する図。
【図４】従来方式の原稿照明手段による配光例を説明する図。
【図５】本発明の原稿照明手段の構成例を示す図。
【図６】本発明の原稿照明手段によって照明される原稿サイズ毎の配光例。
【図７】本発明の２つの原稿照明制御を示す例。
【図８】第１の実施例の原稿照明手段の回路構成を示す図。
【図９】第１の実施例の原稿照明手段の点灯制御データのセット方法を示す図。
【図１０】原稿照明手段の補助発光素子の構成例を示すブロック図。
【図１１】本発明の動作を説明するフローチャート。
【図１２】コサイン４乗則による光量の減衰量を示すグラフ。
【図１３】本発明による原稿領域照明と配光、シェーディング補正の関係を示す図。
【図１４】原稿圧板の状態によって原稿照明手段の点灯領域を切り替える制御を説明する図。
【図１５】第２の実施例の原稿照明手段の回路構成を示す図。
【符号の説明】
【００７９】
１０１  画像読取装置のコントローラ
１０２  画像読み取り手段
１０３  光源（原稿照明手段）
１０４  原稿搬送手段
１０５  光学モータ／制御回路
１０６  原稿サイズ検出手段
１０７  ＤＦ開閉ＳＷ（圧板検出手段）
１０８  光電変換手段（ＣＣＤ、ＣＩＳ）
１０９  Ａ／Ｄ変換手段
１１０  ランプ制御手段
１１１  発光素子選択手段
１１２  ＣＰＵ
１１３  発信器
１１４  ＣＰＵ内臓ＲＡＭ
１１５  ＥＥＰＲＯＭ
１１６  外部ＲＡＭ
１１７  外部ＲＯＭ
１１８  アドレス・データバス
１１９  信号処理手段
１２０  信号処理手段用の発信器
１２１  パルス生成手段
１２２  シェーディング手段を含んだ画像処理手段
１２３  記憶手段
１２４  画像形成装置へのデータ出力
３０７  白色ＬＥＤアレイで構成された原稿照明手段
３０３〜３０６    原稿サイズ検知センサ
３０８  補助光源
５１６  千鳥構成で形成された白色ＬＥＤアレイと補助光源で構成された原稿照明手段の例
７０１  シェーディング板（白色基準板）
８０１  白色ＬＥＤ
８０２  トランジスタ
８０３  ＡＮＤ回路
８０４  シフトレジスタ（Ｄフリップフロップ）
８０５  白色ＬＥＤを２個配置した補助光源
１４０１，１４０２  画像読取装置
１４０３、１４０４  原稿圧板
１０７、１４１０，１４１１  原稿台ガラス
１４０８，１４０９  コピーボタン
１４２５  画像形成装置
【図１】
2006115288.tif 000003
【図２】
2006115288.tif 000004
【図３】
2006115288.tif 000005
【図４】
2006115288.tif 000006
【図５】
2006115288.tif 000007
【図６】
2006115288.tif 000008
【図７】
2006115288.tif 000009
【図８】
2006115288.tif 000010
【図９】
2006115288.tif 000011
【図１０】
2006115288.tif 000012
【図１１】
2006115288.tif 000013
【図１２】
2006115288.tif 000014
【図１３】
2006115288.tif 000015
【図１４】
2006115288.tif 000016
【図１５】
2006115288.tif 000017